【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
プロセスプラント設備内のプロセス変数をユーザインターフェースデバイスを介して調整する方法であって、前記方法では：
１つ以上のプロセッサにより、プロセスプラント表示を提示し、該プロセスプラント表示が、（ｉ）プロセスプラント内のプロセスプラント設備に関連する画像表現と、（ｉｉ）前記プロセスプラント内で測定される前記プロセスプラント設備に関する少なくとも１つのプロセス変数のプロセス変数値と、を含み；
前記１つ以上のプロセッサで、ユーザによるジェスチャベース入力を、前記プロセスプラント設備に関連し、かつ前記プロセス変数の調整後のプロセス変数値を表わす前記画像表現に対応する前記プロセスプラント表示上の箇所で受け付け；
前記ユーザによる前記ジェスチャベース入力に応答して：
前記１つ以上のプロセッサにより、前記プロセスプラント設備に関する前記プロセス変数の前記調整後のプロセス変数値を前記プロセスプラント表示上に提示し；
前記１つ以上のプロセッサにより、前記プロセス変数を前記調整後のプロセス変数値に、前記プロセスプラントのオンライン運転中に設定する、方法。
【請求項２】
プロセスプラント内のプロセスプラント設備に関連する画像表現と、プロセス変数値と、を含むプロセスプラント表示を提示する際に、前記プロセスプラント内の複数のプロセスプラント設備に関連する複数の画像表現、及び前記複数のプロセスプラント設備に対応する複数のプロセス変数の複数のプロセス変数値を提示し；前記方法では更に：
前記１つ以上のプロセッサにより、前記ユーザによるマルチジェスチャ入力を、前記プロセスプラント設備に関連する前記複数の画像表現のうちの少なくとも２つの画像表現に対応する前記プロセスプラント表示上の少なくとも２箇所で受け付けて、前記少なくとも２つの画像表現に対応する前記プロセス変数の各プロセス変数に対応して、調整後のプロセス変数値を表示し；
前記ユーザによる前記マルチジェスチャ入力に応答して：
前記１つ以上のプロセッサにより、前記調整後のプロセス変数値を、前記少なくとも２つの画像表現に対応する前記プロセス変数の各プロセス変数に対応して前記プロセスプラント表示上に提示し；
前記１つ以上のプロセッサにより、前記少なくとも２つの画像表現に対応する前記プロセス変数の各プロセス変数を前記調整後のプロセス変数値に、前記プロセスプラントのオンライン運転中に設定する、請求項１に記載の方法。
【請求項３】
前記プロセス変数値が所定の閾値量を超えて前記対応するジェスチャベース入力に応じて調整されると、前記方法では更に：
前記１つ以上のプロセッサにより、前記プロセスプラント表示の振動を含む触覚フィードバックを前記ユーザに対して行ない、触覚フィードバックの度合いは、前記プロセス変数値に対する調整量が増加するとともに増加する、請求項１または請求項２に記載の方法。
【請求項４】
前記ジェスチャベース入力は、前記ユーザによる前記プロセスプラント表示との物理的な接触を含まず、前記ジェスチャベース入力は、前記１つ以上のプロセッサと通信する１つ以上のカメラを介して受け付けられる、請求項１〜請求項３の何れか１項に記載の方法。
【請求項５】
更に：
前記ユーザによる前記ジェスチャベース入力に応答して、前記１つ以上のプロセッサにより、前記調整後のプロセス変数値に対応する前記プロセスプラント設備に関連する調整後の画像表現を提示する、請求項１〜請求項４の何れか１項に記載の方法。
【請求項６】
前記プロセスプラント設備はタンクであり、前記プロセス変数はタンク液位であり、前記タンクに関連する前記画像表現は、前記タンク内の前記タンク液位のグラフ指示値を含み、前記ユーザが、前記プロセスプラント表示上の前記タンク液位に対応するスワイプジェスチャを行なうと、前記方法では：
前記１つ以上のプロセッサにより、新規のタンク液位値を、前記スワイプジェスチャに応じて決定し；
前記１つ以上のプロセッサにより、前記タンク液位の前記グラフ指示値、及び前記プロセスプラント表示上の前記タンク液位に対応するタンク液位値を前記新規のタンク液位値に調整し；
前記１つ以上のプロセッサにより、前記タンク液位を前記プロセスプラントのオンライン運転中に前記新規のタンク液位値に設定する、請求項５に記載の方法。
【請求項７】
前記新規のタンク液位値は、スワイプジェスチャ軌跡の長さ、及び前記スワイプジェス チャの速度に応じて決定される、請求項６に記載の方法。
【請求項８】
更に：
前記１つ以上のプロセッサにより、前記プロセスプラント表示上の前記プロセス変数をロックして、前記プロセス変数の前記プロセス変数値が前記ジェスチャベース入力に応答して変化しないようにする、請求項１〜請求項７の何れか１項に記載の方法。
【請求項９】
前記ジェスチャベース入力は：タップジェスチャ、プレスジェスチャ、フリックジェスチャ、ドラッグジェスチャ、ピンチジェスチャ、またはスプレッドジェスチャのうちの少なくとも１種類のジェスチャである、請求項１〜請求項８の何れか１項に記載の方法。
【請求項１０】
プロセスプラント内のプロセス変数を調整するユーザインターフェースデバイスであって、前記ユーザインターフェースデバイスは：
表示画面と；
前記表示画面に接続される１つ以上のプロセッサと；
前記１つ以上のプロセッサに接続され、かつ命令を媒体に格納する非一時的なコンピュータ可読媒体と、を含み、前記命令が前記１つ以上のプロセッサにより実行されると、前記命令により作動インターフェースデバイスが：
前記表示画面を介して、前記プロセスプラント内のプロセスプラント設備に関連する画像表現、及び前記プロセスプラント内で測定される前記プロセスプラント設備に関する少なくとも１つのプロセス変数のプロセス変数値を表示し；
ユーザ操作を前記画像表現に重ねて、ユーザによるジェスチャベース入力を受け付けることにより前記プロセス変数の調整後のプロセス変数値を表示し；
前記ユーザによる前記ジェスチャベース入力を、前記ユーザ操作を介して受け付けると：
前記表示画面を介して、前記画像表現の前記調整後のプロセス変数値を表示し；
制御ユニットを介して、前記プロセス変数を前記調整後のプロセス変数値に、前記プロセスプラントのオンライン運転中に設定するようになる、ユーザインターフェースデバ イス。
【請求項１１】
前記命令により更に、前記ユーザインターフェースデバイスは：
複数の画像表現を表示するようになり、各画像表現が、前記プロセスプラント内のプロセスプラント設備に関連付けられ、かつ前記プロセスプラント内で測定される前記プロセスプラント設備に関する少なくとも１つのプロセス変数のプロセス変数値に対応し、
複数のユーザ操作を可能にするようになり、各ユーザ操作を前記画像表現に重ねて前記ユーザによるジェスチャベース入力を受け付け、
前記複数のユーザ操作で、前記ユーザによるマルチジェスチャ入力を、前記プロセスプラント設備に関連する前記複数の画像表現のうちの少なくとも２つの画像表現に対応するユーザインターフェース上の少なくとも２箇所で受け付けて、前記少なくとも２つの画像表現に対応する前記プロセス変数の各プロセス変数に対応して調整後のプロセス変数値を表示すると、前記命令により前記ユーザインターフェースデバイスは、前記調整後のプロセス変数値を、前記少なくとも２つの画像表現に対応する前記プロセス変数の各プロセス変数に対応してプロセスプラント表示上に表示するようになり、前記少なくとも２つの画像表現に対応する前記プロセス変数の各プロセス変数を前記調整後のプロセス変数値に、前記プロセスプラントのオンライン運転中に設定するようになる、請求項１０に記載のユーザインターフェースデバイス。
【請求項１２】
前記プロセス変数値が所定の閾値量を超えて、対応するジェスチャベース入力に応じて調整されると、前記命令により前記ユーザインターフェースデバイスは、触覚フィードバックを前記ユーザに対して行なうようになり、触覚フィードバックの度合いは、前記プロセス変数値に対する調整量が増加するにつれて増加する、請求項１０または請求項１１に記載のユーザインターフェースデバイス。
【請求項１３】
更に：
前記１つ以上のプロセッサに通信可能に接続される１つ以上のカメラを備え；
前記ジェスチャベース入力は、前記ユーザによる前記ユーザインターフェースデバイスとの物理的な接触を含まず、前記ジェスチャベース入力は、前記１つ以上のカメラを介して受け付けられる、請求項１０〜請求項１２の何れか１項に記載のユーザインターフェースデバイス。
【請求項１４】
前記ユーザによる前記ジェスチャベース入力に応答して、前記命令により前記ユーザインターフェースデバイスは、前記調整後のプロセス変数値に対応する前記プロセスプラント設備に関連する調整後の画像表現を表示するようになる、請求項１０〜請求項１３の何れか１項に記載のユーザインターフェースデバイス。
【請求項１５】
前記プロセスプラント設備はタンクであり、前記プロセス変数はタンク液位であり、前記タンクに関連する前記画像表現は、前記タンク内の前記タンク液位のグラフ指示値を含み；
前記ユーザが、プロセスプラント表示上の前記タンク液位に対応するスワイプジェスチャを行なうと、前記命令によりユーザインターフェースは：
新規のタンク液位値を、前記スワイプジェスチャに応じて決定し；
前記タンク液位の前記グラフ指示値、及び前記タンク液位に対応するタンク液位値を前記ユーザインターフェース上の前記新規のタンク液位値に調整し；
前記タンク液位を前記プロセスプラントのオンライン運転中に前記新規のタンク液位値に設定するようになる、請求項１４に記載のユーザインターフェースデバイス。
【請求項１６】
前記新規のタンク液位値は、スワイプジェスチャ軌跡の長さ、及び前記スワイプジェスチャの速度に応じて決定される、請求項１５に記載のユーザインターフェースデバイス。
【請求項１７】
前記プロセスプラント内の各プロセス変数は、前記プロセス変数に関する一連のジェスチャに対応し、前記プロセス変数に関する前記一連のジェスチャの各ジェスチャは、前記プロセス変数に対する異なる調整量に対応する、請求項１０〜請求項１６の何れか１項に記載のユーザインターフェースデバイス。
【請求項１８】
前記ジェスチャベース入力は：タップジェスチャ、プレスジェスチャ、フリックジェスチャ、ドラッグジェスチャ、ピンチジェスチャ、またはスプレッドジェスチャのうちの少なくとも１種類のジェスチャである、請求項１０〜請求項１７の何れか１項に記載のユーザインターフェースデバイス。
【請求項１９】
プロセスプラント内のプロセス変数を調整するユーザインターフェースデバイスであって、ディスプレイデバイスは：
表示画面と、
前記表示画面に重なる微小流体膜であって、該微小流体膜が複数の孔を含む、前記微小流体膜と；
前記微小流体膜に重なる可撓性プラスチック表面であって、前記微小流体膜の前記複数の孔に流体が充填されて前記可撓性プラスチック表面の一部を隆起させる、前記可撓性プラスチック表面と；
前記表示画面に接続される１つ以上のプロセッサと；
前記１つ以上のプロセッサに接続され、かつ命令を媒体に格納する非一時的なコンピュータ可読媒体と、を備え、前記命令が前記１つ以上のプロセッサにより実行されると、前記命令により前記ユーザインターフェースデバイスが：
前記プロセスプラント内のプロセスプラント設備に関連する画像表現、及び前記プロセスプラント内で測定される前記プロセスプラント設備に関する少なくとも１つのプロセス変数のプロセス変数値を表示するようになり、前記複数の孔のうちの少なくとも１つの孔が、前記プロセスプラント設備の前記画像表現に重なり；
ユーザ操作を可能にして、ユーザによるジェスチャベース入力を受け付けて、前記ユーザが前記プロセスプラント設備のロック位置を調整する予定であることを表示するようになり；
前記ユーザによる前記ジェスチャベース入力を、前記ユーザ操作を介して受け付けると：
前記微小流体膜の前記複数の孔内の前記流体の圧力量を増加させて、前記可撓性プラスチック表面の対応部分を隆起させるようになり；
前記ユーザが前記複数の流体充填孔のうち、前記プロセスプラント設備に関連する前記画像表現に対応する１つの流体充填孔を押すと、前記プロセスプラント設備の前記ロック位置を調整するようになる、ユーザインターフェースデバイス。
【請求項２０】
前記ユーザがジェスチャベース入力を行なって、前記ユーザが前記プロセスプラント設備の前記ロック位置の調整を終えたことを表示すると、前記命令により前記ユーザインターフェースデバイスは、前記流体の圧力量を減少させて、前記可撓性プラスチック表面の前記対応部分の高さを下げるようになる、請求項１９に記載のユーザインターフェースデバイス。